(57)【要約】【課題】状況が変化しても、所定のシール性を確保することが可能なゴム栓を提供する。【解決手段】ゴム栓１０は、前後方向に電線挿通孔１７が貫通するゴム栓本体１１を備える。ゴム栓本体１１の電線挿通孔１７に電線９０が液密に挿通され、コネクタハウジング８０のキャビティ８１内に後方からゴム栓本体１１が挿入されてキャビティ８１の内周面に弾性的に密着する。ゴム栓本体１１には、コネクタハウジング８０に対する密着位置を、キャビティ８１の内周面の後端部からコネクタハウジング８０の後面におけるキャビティ８１の開口周りにかけて、キャビティ８１の内外に変化させることが可能な内外シール対応リップ２１が設けられている。【選択図】図１
2014183030.tif 000002
【特許請求の範囲】
【請求項１】
コネクタハウジングのキャビティ内に後方から挿入され、前記キャビティの内周面に弾性的に密着することにより、前記キャビティ内を液密に保つゴム栓であって、
ゴム栓本体と、
前記ゴム栓本体の後端部に連なって、前記コネクタハウジングに弾性的に密着可能とされ、前記コネクタハウジングに対する密着位置を、前記キャビティの内周面の後端部から前記コネクタハウジングの後面における前記キャビティの開口周りにかけて、前記キャビティの内外に変化させることが可能な内外シール対応リップとを備えていることを特徴とするゴム栓。
【請求項２】
前記内外シール対応リップが、弾性変形する前の自然状態で、前記ゴム栓本体の後端部から外側に張り出すように延びる延出部と、前記延出部の張り出しの先端側において少なくとも前方に突出して前記コネクタハウジングに密着可能なシール本体部とを有していることを特徴とする請求項１記載のゴム栓。
【請求項３】
前記ゴム栓本体には、電線挿通孔が前後方向に貫通して形成され、前記ゴム栓本体の外周面には、前記内外シール対応リップよりも前方に、前記キャビティの内周面に弾性的に密着可能な外周リップが周設され、前記ゴム栓本体の前記電線挿通孔の内周面には、電線の外周面に弾性的に密着可能な内周リップが周設され、前記内周リップが前記外周リップよりも前方に配置されていることを特徴とする請求項１又は２記載のゴム栓。
【発明の詳細な説明】
【技術分野】
【０００１】
本発明は、ゴム栓に関する。
【背景技術】
【０００２】
特許文献１に開示されたゴム栓は、電線挿通孔を有する円筒状のゴム栓本体を備える。ゴム栓本体の電線挿通孔には、端子金具に接続された電線が液密に挿通される。また、ゴム栓本体の外周面には、リップが周設されている。そして、ゴム栓は、コネクタハウジングのキャビティ内に、端子金具に続いて挿入され、リップがキャビティの内周面に弾性的に密着することにより、キャビティ内を液密に保つ役割をはたす。なお、特許文献１の場合、ゴム栓がキャビティ内に挿入されると、ゴム栓本体の後端部がキャビティ外に飛び出して配置されるようになっている。
【先行技術文献】
【特許文献】
【０００３】
【特許文献１】特開２０１０−７３４８５号公報
【発明の概要】
【発明が解決しようとする課題】
【０００４】
ところで、例えば、キャビティの前後長を異にする複数種のコネクタハウジングに対して上記ゴム栓を共用しようとしても、前後長の短いキャビティにはリップが収容されずに後方にはみ出ることもあり、キャビティ内を充分にシールすることができないおそれがある。また、単一のコネクタハウジングに適用する場合であっても、例えば、経時的又は熱的影響によって端子金具や電線が伸長すると、上記同様、リップがキャビティ内に収容されず、やはりキャビティ内を充分にシールすることができないという事情がある。
【０００５】
本発明は上記のような事情に基づいて完成されたものであって、状況が変化しても、所定のシール性を確保することが可能なゴム栓を提供することを目的とする。
【課題を解決するための手段】
【０００６】
本発明は、コネクタハウジングのキャビティ内に後方から挿入され、前記キャビティの内周面に弾性的に密着することにより、前記キャビティ内を液密に保つゴム栓であって、ゴム栓本体と、前記ゴム栓本体の後端部に連なって、前記コネクタハウジングに弾性的に密着可能とされ、前記コネクタハウジングに対する密着位置を、前記キャビティの内周面の後端部から前記コネクタハウジングの後面における前記キャビティの開口周りにかけて、前記キャビティの内外に変化させることが可能な内外シール対応リップとを備えているところに特徴を有する。
【発明の効果】
【０００７】
状況が変化しても、内外シール対応リップがキャビティの内周面とコネクタハウジングの後面のいずれか一方に密着することにより、キャビティ内に水が浸入するのを防止することができ、キャビティ内を液密に保つことができる。
【図面の簡単な説明】
【０００８】
【図１】実施例１のゴム栓の使用態様を示す断面図である。
【図２】図１の要部の拡大断面図である。
【図３】ゴム栓の別の使用態様を示す拡大断面図である。
【図４】ゴム栓のさらに別の使用態様を示す拡大断面図である。
【図５】ゴム栓の斜視図である。
【図６】ゴム栓の側面図である。
【図７】ゴム栓の正面図である。
【発明を実施するための形態】
【０００９】
本発明の好ましい形態を以下に示す。
前記内外シール対応リップが、弾性変形する前の自然状態で、前記ゴム栓本体の後端部から外側に張り出すように延びる延出部と、前記延出部の張り出しの先端側において少なくとも前方に突出して前記コネクタハウジングに密着可能なシール本体部とを有している。シール本体部が前方に突出する部分を有するため、コネクタハウジングの後面におけるキャビティの開口周りに良好に密着することができる。また、延出部が変形することにより、状況の変化に柔軟に対応することができる。しかも、内外シール対応リップが格別複雑な形状になることもない。
【００１０】
前記ゴム栓本体には、電線挿通孔が前後方向に貫通して形成され、前記ゴム栓本体の外周面には、前記内外シール対応リップよりも前方に、前記キャビティの内周面に弾性的に密着可能な外周リップが周設され、前記ゴム栓本体の前記電線挿通孔の内周面には、電線の外周面に弾性的に密着可能な内周リップが周設され、前記内周リップが前記外周リップよりも前方に配置されている。ゴム栓本体の後部においては、外周リップと内外シール対応リップによって、電線挿通孔の内周面と電線の外周面との隙間が詰められるため、仮に、ゴム栓本体と電線との間に後方から水が入り込もうとしても、ゴム栓本体の後部における浸水が一次的に阻止される。また、万一、水がゴム栓本体の後部を通過しても、ゴム栓本体の前部における浸水が内周リップにより二次的に確実に阻止される。
【００１１】
＜実施例１＞
本発明の実施例１を図１〜図７によって説明する。実施例１のゴム栓１０は、端子金具６０に接続された電線９０に外嵌されて、コネクタハウジング８０のキャビティ８１内に挿入される。
【００１２】
まず、コネクタハウジング８０と端子金具６０について簡単に説明する。
コネクタハウジング８０は合成樹脂製であってブロック状をなし、図１に示すように、内部に、端子金具６０を挿入可能なキャビティ８１が前後方向に貫通して形成されている。コネクタハウジング８０の後面におけるキャビティ８１の開口縁部には、キャビティ８１内に端子金具６０を誘い込むための誘い込み縁部８２が後方へテーパ状に拡開して形成されている。また、コネクタハウジング８０のキャビティ８１の内壁には、撓み可能なランス８３が前方に突出して形成されている。
【００１３】
端子金具６０は導電性の金属板を曲げ加工等して成形され、図１に示すように、全体として前後方向に細長い形態とされている。具体的には、端子金具６０は、筒状の箱部６１と、箱部６１の後方に連なるオープンバレル状のワイヤバレル６２と、ワイヤバレル６２の後方に連なるオープンバレル状のインシュレーションバレル６３とからなる。箱部６１には、前方から相手側の雄タブ（図示せず）が挿入されて接続可能とされている。また、箱部６１には、ランス８３に係止可能なランス受け部６４が設けられている。ワイヤバレル６２は、電線９０の端末部において被覆９１の除去により露出する芯線９２に圧着により接続され、インシュレーションバレル６３は、電線９０の端末部に嵌着されたゴム栓１０に圧着により接続されている。図１に示すように、コネクタハウジング８０のキャビティ８１内に電線９０が正規挿入されると、ランス受け部６４がランス８３に弾性的に係止され、これによって端子金具６０がキャビティ８１内から抜け出るのが防止されるようになっている。
【００１４】
続いて、ゴム栓１０の構造について具体的に説明する。
ゴム栓１０はシリコンゴム等のゴム製であって、図５及び図６に示すように、前後方向に延びる略円筒状のゴム栓本体１１を備える。ゴム栓本体１１の外周面の前後方向途中には、径方向の段差１２が形成されている。ゴム栓本体１１のうち、段差１２を境として前方に位置する部分は、前部１３とされ、段差１２を境として後方に位置する部分は、前部１３よりも大径の後部１４とされている。ゴム栓本体１１の前部１３の外周面には、前後方向に沿って段差無く連なる被圧着面１５が形成され、被圧着面１５には、端子金具６０のインシュレーションバレル６３が圧着により取り付けられる。
【００１５】
ゴム栓本体１１の後部１４の外周面には、外周リップ１６が突設されている。外周リップ１６は、後部１４の外周面を周回する形態とされ、前後方向に複数並んで配置されている。実施例１の場合、図６に示すように、各外周リップ１６のうち、最前位置の外周リップ１６が、段差１２の直後方に配置され、最後位置の外周リップ１６が、自然状態にある場合に、後述する内外シール対応リップ２１の内側に隠れるように配置される。図１に示すように、ゴム栓１０がキャビティ８１内に収容された場合には、各外周リップ１６が、キャビティ８１の内周面に圧潰状態で弾性的に密着するようになっている。
【００１６】
また、ゴム栓本体１１の中心部には、電線挿通孔１７が前後方向に貫通して形成されている。ゴム栓本体１１の前部１３における電線挿通孔１７の内周面には、内周リップ１８が突設されている。内周リップ１８は、前部１３の電線挿通孔１７の内周面を周回する形態とされ、前後方向に複数並んで配置されている。図１に示すように、ゴム栓本体１１の電線挿通孔１７には、電線９０が挿通され、その状態で、各内周リップ１８が、電線９０の被覆９１の外周面に圧潰状態で弾性的に密着するようになっている。また、各内周リップ１８は、各外周リップ１６よりも前方に配置され、詳細には、最後位置の内周リップ１８が、最前位置の外周リップ１６よりも前方に配置されている。
【００１７】
さて、ゴム栓本体１１の後部１４の後端には、内外シール対応リップ２１が連設されている。内外シール対応リップ２１は、図５に示すように、ゴム栓本体１１の後部１４の外周面から全周に亘って張り出す形態とされ、図６に示すように、外周リップ１６の突出寸法よりも格段に大きい突出寸法（張出寸法）を有している。具体的には、内外シール対応リップ２１は、図６に示すように、自然状態にある場合に、ゴム栓本体１１の後部１４の後端から径方向外側に張り出す延出部２２と、延出部２２の外端側（張り出しの先端側）に連なって前後両方向に突出するシール本体部２３とを有している。延出部２２及びシール本体部２３は、いずれも全周に亘って同一の断面形状を呈している。
【００１８】
延出部２２は、薄肉の断面帯状をなし（図２を参照）、詳しくは図示しないが、自然状態にある場合に、ゴム栓本体１１の後端外周からいったん後方へ延びた後、径方向外側へ延出する形態とされている（図６を参照）。そして、延出部２２は、図２〜図４に示すように、ゴム栓本体１１の後端を支点として径方向内側に倒れる向きに撓み変形可能とされている。一方、シール本体部２３は、延出部２２よりも充分に厚肉の断面略円形の形態とされ（図２を参照）、自然状態にある場合に、前方への突出量が後方への突出量よりも大きくされている（図６を参照）。シール本体部２３の前面は、後述するように、コネクタハウジング８０のキャビティ８１の内周面に弾性的に密着可能とされ、さらに、コネクタハウジング８０の後面におけるキャビティ８１の開口周りにも弾性的に密着可能とされている。
【００１９】
次に、実施例１のゴム栓１０の使用態様について説明する。
実施例１のゴム栓１０は、キャビティ８１の前後長を異にする複数種のコネクタハウジング８０に対して適用可能とされている。以下、キャビティ８１の前後長に応じて、第１使用態様（図１及び図２を参照）、第１使用態様よりもキャビティ８１の前後長が短い第２使用態様（図３を参照）及び第１使用態様よりもキャビティ８１の前後長が長い第３使用態様（図４を参照）について、それぞれ説明する。
【００２０】
（第１使用態様）
図１に示すように、コネクタハウジング８０のキャビティ８１内に後方から端子金具６０が挿入される。キャビティ８１内に端子金具６０が正規挿入されると、ランス８３によって端子金具６０が抜け止めされ、且つ、ゴム栓１０がキャビティ８１内の後端部に挿入される。この場合において、図２に示すように、各外周リップ１６は、キャビティ８１の内周面に弾性的に密着される。また、内外シール対応リップ２１のシール本体部２３の前面は、コネクタハウジング８０の後面におけるキャビティ８１の開口周りのうち、誘い込み縁部８２の外縁部に弾性的に当接し、それに伴い、内外シール対応リップ２１の延出部２２は、自然状態の位置から後方へ傾倒した状態になる。また、コネクタハウジング８０の誘い込み縁部８２は、内外シール対応リップ２１によって全周に亘って覆われた状態になる。したがって、仮に、コネクタハウジング８０のキャビティ８１内に後方から水が浸入しようとしても、キャビティ８１の後端開口が内外シール対応リップ２１によって実質的に塞がれているため、キャビティ８１内に水が入り込むのが一次的に防止される。また、万一、高圧洗浄水等の圧力によって内外シール対応リップ２１が変形し、水がシール本体部２３とコネクタハウジング８０との間を通過しても、各外周リップ１６によって端子金具６０の位置する側に水がまわり込むのが確実に防止される。
【００２１】
一方、内外シール対応リップ２１と各外周リップ１６が弾性変形することにより、ゴム栓本体１１の後部１４が縮径方向に圧縮されるため、後部１４における電線挿通孔１７の内周面と電線９０の外周面との隙間が詰められ、この隙間に水が入り込みにくくなる。また、万一、前記隙間に水が入って前方へ流れようとしても、各内周リップ１８が電線９０の外周面に密着しているため、端子金具６０側に水がまわり込むのが確実に防止される。
【００２２】
（第２使用態様）
第２使用態様の場合、キャビティ８１の前後長が短いため、図３に示すように、内外シール対応リップ２１のシール本体部２３の前面は、コネクタハウジング８０の後面におけるキャビティ８１の開口周りのうち、誘い込み縁部８２よりも外側の部分に弾性的に当接し、それに伴い、内外シール対応リップ２１の延出部２２は、自然状態の位置から後方へやや傾倒した状態になる。この場合、シール本体部２３の前面は、使用態様１の場合よりも起立した状態となり、ゴム栓本体１１の径方向にほぼ沿って配置される。また、延出部２２は、使用態様１の場合よりもゴム栓本体１１の径方向に対する傾斜角が小さくなる。第２使用態様においても、内外シール対応リップ２１によって水がキャビティ８１内に入り込むのが未然に防止され、さらに、各外周リップ１６によって端子金具６０側への浸水が確実に阻止される。
【００２３】
（第３使用態様）
第３使用態様の場合、キャビティ８１の前後長が長いため、図４に示すように、内外シール対応リップ２１のシール本体部２３は、その全体がコネクタハウジング８０のキャビティ８１内の後端部に挿入される。このとき、シール本体部２３の外面（自然状態では前面であった面）は、キャビティ８１の内周面に弾性的に密着し、シール本体部２３の内面（自然状態では後面であった面）は、電線９０の被覆９１の外周面に弾性的に密着し、延出部２２は、後方へ大きく倒れ込んだ状態になる。このため、仮に、キャビティ８１内に後方から水が入り込もうとしても、シール本体部２３の外面とキャビティ８１の内周面との密着によって水の浸入が一次的に阻止され、さらに、各外周リップ１６とキャビティ８１の内周面との密着によって水の浸入が二次的に確実に阻止される。また、仮に、電線９０の被覆９１の外周面に沿って後方から水が入り込もうとしても、シール本体部２３の内面と電線９０の被覆９１の外周面との密着によって水の浸入が一次的に阻止され、さらに、各内周リップ１８と電線９０の被覆９１の外周面との密着によって水の浸入が二次的に確実に阻止される。したがって、端子金具６０側への浸水が確実に防止される。とくに、第３使用態様の場合、内外シール対応リップ２１が電線９０の被覆９１の外周面とキャビティ８１の内周面との間に弾性的に挟着された状態になるため、ゴム栓本体１１の後部１４における浸水がより良好に阻止される。
【００２４】
以上説明したように、実施例１によれば、キャビティ８１の前後長が異なる場合であっても、内外シール対応リップ２１が、キャビティ８１の内周面の後端部からコネクタハウジング８０の後面における開口周りにかけて、その密着位置を変化させることにより、キャビティ８１の後端開口を液密に閉塞することが可能となるため、キャビティ８１内に水が浸入するのを防止することができる。
【００２５】
この場合、キャビティ８１の前後長が異なる場合に限らず、キャビティ８１の前後長が同じ単一のコネクタハウジング８０であっても、例えば、経時的又は熱的影響に起因する電線９０・端子金具６０の伸長により、最後位置の外周リップ１６がキャビティ８１の外側にはみ出るおそれがあるため、そうした状況変化にも柔軟に対応可能な実施例１のゴム栓１０を適用することは可能であり、またその利用効果は大である。
【００２６】
また、内外シール対応リップ２１のシール本体部２３は、自然状態で延出部２２よりも前方に突出する部分を含むため、コネクタハウジング８０の後面におけるキャビティ８１の開口周りに良好に密着することが可能となる。また、延出部２２が状況に応じて柔軟に変形することにより、内外シール対応シップ２１の対応性が高められる。
【００２７】
さらに、各内周リップ１８がゴム栓本体１１の前部１３に配置され、各外周リップ１６がゴム栓本体１１の後部１４に配置されているため、ゴム栓本体１１の後部１４においては、各外周リップ１６と内外シール対応リップ２１によって、電線挿通孔１７の内周面と電線９０の外周面との隙間が詰められて、その隙間に水が入り込みにくくなり、ゴム栓本体１１の後部１４における浸水が一次的に阻止される。また、万一、水がゴム栓本体１１の後部１４を通過しても、ゴム栓本体１１の前部１３における浸水が内周リップ１８によって二次的に阻止されるため、ゴム栓本体１１と電線９０との間に水が浸入するのを確実に防止することができる。
【００２８】
＜他の実施例＞
本発明は上記記述及び図面によって説明した実施例に限定されるものではなく、例えば次のような態様も本発明の技術的範囲に含まれる。
（１）内外シール対応リップは、キャビティの内周面の後端とコネクタハウジングの後面におけるキャビティの開口周りとに跨って密着することが可能な形態であってもよい。
（２）第３使用態様では、内外シール対応リップのシール本体部の内面が電線の被覆の外周面に接触しない構成であってもよい。
（３）各外周リップと各内周リップとは、前後方向で部分的に重なり合って配置されるものであってもよい。
【符号の説明】
【００２９】
１０…ゴム栓
１１…ゴム栓本体
１６…外周リップ
１７…電線挿通孔
１８…内周リップ
２１…内外シール対応リップ
２２…延出部
２３…シール本体部
６０…端子金具
８０…コネクタハウジング
８１…キャビティ
８２…誘い込み縁部
９０…電線
【図１】
2014183030.tif 000003
【図２】
2014183030.tif 000004
【図３】
2014183030.tif 000005
【図４】
2014183030.tif 000006
【図５】
2014183030.tif 000007
【図６】
2014183030.tif 000008
【図７】
2014183030.tif 000009